(57)【要約】      （修正有）【課題】広角でありながら良好な結像性能を有する遠赤外線用結像光学系、それを備えた撮像光学装置及びデジタル機器を提供する。【解決手段】遠赤外線用結像光学系ＬＮは、物体側より順に、正パワーの第１レンズＬ１と正パワーの第２レンズＬ２とからなる。第１レンズＬ１が近軸で物体側に凸の正メニスカス形状を有する両面非球面レンズであり、第２レンズＬ２が近軸で両凸形状を有する両面非球面レンズである。全系の子午面内における様子を描いた場合、軸上光と周辺光との上下位置が入れ替わる位置を第１レンズＬ１と第２レンズＬ２との間に有し、条件式：０．６＜（ＴＬｏｐｔ−ＬＢ）／ＴＬｏｐｔ＜０．９５（ＴＬｏｐｔ＝ＴＬ＋Ｄ１×（ｎ１−１）＋Ｄ２×（ｎ２−１）、を満足する。但し、ＴＬ：全長、Ｄ１，Ｄ２：第１，第２レンズの中心厚、ｎ１，ｎ２：第１，第２レンズの基準波長での屈折率、ＬＢ：光学系最終面から近軸像面までの距離。【選択図】図１
2014149430.tif 000002
【特許請求の範囲】
【請求項１】
物体側より順に、正パワーを有する第１レンズと、正パワーを有する第２レンズと、からなる２枚構成の遠赤外線用結像光学系であって、
前記第１レンズが、近軸で物体側に凸の正メニスカス形状を有する両面非球面レンズであり、
前記第２レンズが、近軸で両凸形状を有する両面非球面レンズであり、
全系の子午面内における様子を光軸が横になるように描いた場合において、軸上光と周辺光との上下位置が入れ替わる位置を第１レンズと第２レンズとの間に有し、
以下の条件式（１）を満足することを特徴とする遠赤外線用結像光学系；
０．６＜（ＴＬｏｐｔ−ＬＢ）／ＴＬｏｐｔ＜０．９５  …（１）
ただし、
ＴＬｏｐｔ＝ＴＬ＋Ｄ１×（ｎ１−１）＋Ｄ２×（ｎ２−１）
ＴＬ：全長、
Ｄ１：第１レンズの中心厚、
Ｄ２：第２レンズの中心厚、
ｎ１：第１レンズの設計基準波長に対する屈折率、
ｎ２：第２レンズの設計基準波長に対する屈折率、
ＬＢ：光学系最終面から近軸像面までの距離、
である。
【請求項２】
前記第１，第２レンズが有するレンズ面のうちのいずれか１面に回折構造を有することを特徴とする請求項１記載の遠赤外線用結像光学系。
【請求項３】
前記第１レンズの物体側面に回折構造を有することを特徴とする請求項１又は２記載の遠赤外線用結像光学系。
【請求項４】
前記第２レンズの物体側面に回折構造を有することを特徴とする請求項１〜３のいずれか１項に記載の遠赤外線用結像光学系。
【請求項５】
前記第１，第２レンズを構成する硝材がカルコゲナイドガラスのみであり、使用波長範囲が３μｍ以上１３μｍ以下であることを特徴とする請求項１〜４のいずれか１項に記載の遠赤外線用結像光学系。
【請求項６】
前記第１レンズと前記第２レンズとの中間に絞りが位置することを特徴とする請求項１〜５のいずれか１項に記載の遠赤外線用結像光学系。
【請求項７】
以下の条件式（２）を満足することを特徴とする請求項１〜６のいずれか１項に記載の遠赤外線用結像光学系；
０＜（ＴＬ×Ｆｎｏ／ｆ）×（Ｒ１Ａ／Ｒ２Ａ）＜１．５  …（２）
ただし、
ＴＬ：全長、
Ｆｎｏ：Ｆナンバー、
ｆ：全系の焦点距離、
Ｒ１Ａ：第１レンズの物体側面の近軸曲率半径、
Ｒ２Ａ：第２レンズの物体側面の近軸曲率半径、
である。
【請求項８】
以下の条件式（３）を満足することを特徴とする請求項１〜７のいずれか１項に記載の遠赤外線用結像光学系；
０＜Ｆｎｏ×（（Ｄ１＋Ｄ２）／ｆ）×（Ｒ１Ａ／Ｒ２Ａ）＜０．５  …（３）
ただし、
Ｆｎｏ：Ｆナンバー、
Ｄ１：第１レンズの中心厚、
Ｄ２：第２レンズの中心厚、
ｆ：全系の焦点距離、
Ｒ１Ａ：第１レンズの物体側面の近軸曲率半径、
Ｒ２Ａ：第２レンズの物体側面の近軸曲率半径、
である。
【請求項９】
以下の条件式（４）を満足することを特徴とする請求項２〜４のいずれか１項に記載の遠赤外線用結像光学系；
０．００１＜Ｐ＜０．０３５  …（４）
ただし、
Ｐ：波長１００００ｎｍにおける回折光学面のパワー（ｍｍ-1）、
である。
【請求項１０】
請求項１〜９のいずれか１項に記載の遠赤外線用結像光学系と、撮像面上に形成された遠赤外線光学像を電気的な信号に変換する撮像素子と、を備え、前記撮像素子の撮像面上に被写体の遠赤外線光学像が形成されるように前記遠赤外線用結像光学系が設けられていることを特徴とする撮像光学装置。
【請求項１１】
請求項１０記載の撮像光学装置を備えることにより、被写体の静止画撮影，動画撮影のうちの少なくとも一方の機能が付加されたことを特徴とするデジタル機器。
【請求項１２】
携帯端末であることを特徴とする請求項１１記載のデジタル機器。
【発明の詳細な説明】
【技術分野】
【０００１】
本発明は、遠赤外線用結像光学系，撮像光学装置及びデジタル機器に関するものである。例えば、撮像素子（例えば、ＣＣＤ(Charge Coupled Device)型イメージセンサー，ＣＭＯＳ(Complementary Metal-Oxide Semiconductor)型イメージセンサー等の固体撮像素子）の受光面上に被写体の遠赤外線光学像を形成するための小型の結像光学系と、それにより得られた遠赤外線映像を撮像素子で取り込む撮像光学装置と、それを搭載した画像入力機能付きデジタル機器と、に関するものである。
【背景技術】
【０００２】
監視カメラや防犯カメラ等の普及に伴い、可視光だけでなく、赤外光を用いる安価で小型な光学系が必要とされている。赤外光用の光学系に用いられるレンズ材料は、一般的な光学ガラスに比べて高価であるため、レンズ体積は小さい方がコストが抑えられる。そのような観点から、レンズ２枚からなる遠赤外線用結像光学系が特許文献１〜５で提案されている。例えば特許文献１には、レンズ２枚を用いてそのうちの１面を回折光学面とした構成が開示されている。また特許文献２には、２枚のレンズのうち１枚を両面とも回折光学面とした構成が開示されている。さらに、可視光領域で使用されるレンズ２枚構成の撮像光学系としては、特許文献６に記載のものが挙げられる。
【先行技術文献】
【特許文献】
【０００３】
【特許文献１】特開２０１１−１２８５３８号公報
【特許文献２】特開２０１０−１１３１９１号公報
【特許文献３】特開２０１１−２３７６６９号公報
【特許文献４】特開２００３−２９５０５２号公報
【特許文献５】特開平１０−３３９８４２号公報
【特許文献６】特開２００６−３５０２７６号公報
【発明の概要】
【発明が解決しようとする課題】
【０００４】
特許文献１，２に記載の遠赤外線用結像光学系では、２枚目のレンズが絞りに近いため、広角化すると収差補正が適切に行えなくなり、また、それにより周辺光量の確保が難しくなる。特許文献３に記載の遠赤外線用結像光学系では、２枚目のレンズが物体側に凸の正メニスカスレンズであるため、主点位置がレンズより物体側に寄ってしまい、２枚目のレンズ位置が像面に近くなる。その結果、レンズ位置が絞り位置から遠くなるため、広角化した場合にレンズの有効径が大きくなり、レンズの体積を大きくする必要が生じて、硝材費が増大することになる。特許文献４，５に記載の遠赤外線用結像光学系においても、これと同様のレンズ構成を有しているため、同様の問題がある。
【０００５】
特許文献６に記載の可視光領域用結像光学系では、レンズ系の中で光線を操作する領域の割合が小さいため、収差補正を適切に行うことができない。そのため、広角化に適しながら良好な結像性能を有し、かつ、小型化にも適した低コストの明るい光学系が求められている。
【０００６】
本発明はこのような状況に鑑みてなされたものであって、その目的は、安価に製造できる構成を有し、かつ、広角でありながら良好な結像性能を有する遠赤外線用結像光学系、それを備えた撮像光学装置及びデジタル機器を提供することにある。
【課題を解決するための手段】
【０００７】
上記目的を達成するために、第１の発明の遠赤外線用結像光学系は、物体側より順に、正パワーを有する第１レンズと、正パワーを有する第２レンズと、からなる２枚構成の遠赤外線用結像光学系であって、
前記第１レンズが、近軸で物体側に凸の正メニスカス形状を有する両面非球面レンズであり、
前記第２レンズが、近軸で両凸形状を有する両面非球面レンズであり、
全系の子午面内における様子を光軸が横になるように描いた場合において、軸上光と周辺光との上下位置が入れ替わる位置を第１レンズと第２レンズとの間に有し、
以下の条件式（１）を満足することを特徴とする。
０．６＜（ＴＬｏｐｔ−ＬＢ）／ＴＬｏｐｔ＜０．９５  …（１）
ただし、
ＴＬｏｐｔ＝ＴＬ＋Ｄ１×（ｎ１−１）＋Ｄ２×（ｎ２−１）
ＴＬ：全長、
Ｄ１：第１レンズの中心厚、
Ｄ２：第２レンズの中心厚、
ｎ１：第１レンズの設計基準波長に対する屈折率、
ｎ２：第２レンズの設計基準波長に対する屈折率、
ＬＢ：光学系最終面から近軸像面までの距離、
である。
【０００８】
第２の発明の遠赤外線用結像光学系は、上記第１の発明において、前記第１，第２レンズが有するレンズ面のうちのいずれか１面に回折構造を有することを特徴とする。
【０００９】
第３の発明の遠赤外線用結像光学系は、上記第１又は第２の発明において、前記第１レンズの物体側面に回折構造を有することを特徴とする。
【００１０】
第４の発明の遠赤外線用結像光学系は、上記第１〜第３のいずれか１つの発明において、前記第２レンズの物体側面に回折構造を有することを特徴とする。
【００１１】
第５の発明の遠赤外線用結像光学系は、上記第１〜第４のいずれか１つの発明において、前記第１，第２レンズを構成する硝材がカルコゲナイドガラスのみであり、使用波長範囲が３μｍ以上１３μｍ以下であることを特徴とする。
【００１２】
第６の発明の遠赤外線用結像光学系は、上記第１〜第５のいずれか１つの発明において、前記第１レンズと前記第２レンズとの中間に絞りが位置することを特徴とする。
【００１３】
第７の発明の遠赤外線用結像光学系は、上記第１〜第６のいずれか１つの発明において、以下の条件式（２）を満足することを特徴とする。
０＜（ＴＬ×Ｆｎｏ／ｆ）×（Ｒ１Ａ／Ｒ２Ａ）＜１．５  …（２）
ただし、
ＴＬ：全長、
Ｆｎｏ：Ｆナンバー、
ｆ：全系の焦点距離、
Ｒ１Ａ：第１レンズの物体側面の近軸曲率半径、
Ｒ２Ａ：第２レンズの物体側面の近軸曲率半径、
である。
【００１４】
第８の発明の遠赤外線用結像光学系は、上記第１〜第７のいずれか１つの発明において、以下の条件式（３）を満足することを特徴とする。
０＜Ｆｎｏ×（（Ｄ１＋Ｄ２）／ｆ）×（Ｒ１Ａ／Ｒ２Ａ）＜０．５  …（３）
ただし、
Ｆｎｏ：Ｆナンバー、
Ｄ１：第１レンズの中心厚、
Ｄ２：第２レンズの中心厚、
ｆ：全系の焦点距離、
Ｒ１Ａ：第１レンズの物体側面の近軸曲率半径、
Ｒ２Ａ：第２レンズの物体側面の近軸曲率半径、
である。
【００１５】
第９の発明の遠赤外線用結像光学系は、上記第２〜第４のいずれか１つの発明において、以下の条件式（４）を満足することを特徴とする。
０．００１＜Ｐ＜０．０３５  …（４）
ただし、
Ｐ：波長１００００ｎｍにおける回折光学面のパワー（ｍｍ-1）、
である。
【００１６】
第１０の発明の撮像光学装置は、上記第１〜第９のいずれか１つの発明に係る遠赤外線用結像光学系と、撮像面上に形成された遠赤外線光学像を電気的な信号に変換する撮像素子と、を備え、前記撮像素子の撮像面上に被写体の遠赤外線光学像が形成されるように前記遠赤外線用結像光学系が設けられていることを特徴とする。
【００１７】
第１１の発明のデジタル機器は、上記第１０の発明に係る撮像光学装置を備えることにより、被写体の静止画撮影，動画撮影のうちの少なくとも一方の機能が付加されたことを特徴とする。
【００１８】
第１２の発明のデジタル機器は、上記第１１の発明において、携帯端末であることを特徴とする。
【発明の効果】
【００１９】
本発明の構成を採用することにより、安価に製造できる構成を有し、かつ、広角でありながら良好な結像性能を有する遠赤外線用結像光学系と、それを備えた撮像光学装置を実現することができる。そして、本発明に係る撮像光学装置を監視カメラ，防犯カメラ，携帯端末等のデジタル機器に用いることによって、デジタル機器に対し高性能の遠赤外線画像入力機能をコンパクトに付加することが可能となる。
【図面の簡単な説明】
【００２０】
【図１】第１の実施の形態（実施例１）の光学構成図。
【図２】実施例１の収差図。
【図３】第２の実施の形態（実施例２）の光学構成図。
【図４】実施例２の収差図。
【図５】第３の実施の形態（実施例３）の光学構成図。
【図６】実施例３の収差図。
【図７】第４の実施の形態（実施例４）の光学構成図。
【図８】実施例４の収差図。
【図９】第５の実施の形態（実施例５）の光学構成図。
【図１０】実施例５の収差図。
【図１１】第６の実施の形態（実施例６）の光学構成図。
【図１２】実施例６の収差図。
【図１３】第７の実施の形態（実施例７）の光学構成図。
【図１４】実施例７の収差図。
【図１５】第８の実施の形態（実施例８）の光学構成図。
【図１６】実施例８の収差図。
【図１７】第９の実施の形態（実施例９）の光学構成図。
【図１８】実施例９の収差図。
【図１９】第１０の実施の形態（実施例１０）の光学構成図。
【図２０】実施例１０の収差図。
【図２１】第１１の実施の形態（実施例１１）の光学構成図。
【図２２】実施例１１の収差図。
【図２３】第１２の実施の形態（実施例１２）の光学構成図。
【図２４】実施例１２の収差図。
【図２５】第１３の実施の形態（実施例１３）の光学構成図。
【図２６】実施例１３の収差図。
【図２７】第１４の実施の形態（実施例１４）の光学構成図。
【図２８】実施例１４の収差図。
【図２９】第１５の実施の形態（実施例１５）の光学構成図。
【図３０】実施例１５の収差図。
【図３１】第１６の実施の形態（実施例１６）の光学構成図。
【図３２】実施例１６の収差図。
【図３３】第１７の実施の形態（実施例１７）の光学構成図。
【図３４】実施例１７の収差図。
【図３５】第１８の実施の形態（実施例１８）の光学構成図。
【図３６】実施例１８の収差図。
【図３７】第１９の実施の形態（実施例１９）の光学構成図。
【図３８】実施例１９の収差図。
【図３９】第２０の実施の形態（実施例２０）の光学構成図。
【図４０】実施例２０の収差図。
【図４１】第２１の実施の形態（実施例２１）の光学構成図。
【図４２】実施例２１の収差図。
【図４３】第２２の実施の形態（実施例２２）の光学構成図。
【図４４】実施例２２の収差図。
【図４５】第２３の実施の形態（実施例２３）の光学構成図。
【図４６】実施例２３の収差図。
【図４７】第２４の実施の形態（実施例２４）の光学構成図。
【図４８】実施例２４の収差図。
【図４９】第２５の実施の形態（実施例２５）の光学構成図。
【図５０】実施例２５の収差図。
【図５１】第２６の実施の形態（実施例２６）の光学構成図。
【図５２】実施例２６の収差図。
【図５３】遠赤外線用結像光学系を搭載したデジタル機器の概略構成例を示す模式図。
【発明を実施するための形態】
【００２１】
以下、本発明に係る遠赤外線用結像光学系，撮像光学装置，デジタル機器等を説明する。本発明に係る遠赤外線用結像光学系は、物体側より順に、正パワーを有する第１レンズと、正パワーを有する第２レンズと、からなる２枚構成の遠赤外線用結像光学系である（パワー：焦点距離の逆数で定義される量）。前記第１レンズは近軸で物体側に凸の正メニスカス形状を有する両面非球面レンズであり、前記第２レンズは近軸で両凸形状を有する両面非球面レンズである。また、全系の子午面内における様子を光軸が横になるように描いた場合において、軸上光と周辺光との上下位置が入れ替わる位置（例えば、開口絞り位置）を第１レンズと第２レンズとの間に有し、以下の条件式（１）を満足することを特徴としている。
０．６＜（ＴＬｏｐｔ−ＬＢ）／ＴＬｏｐｔ＜０．９５  …（１）
ただし、
ＴＬｏｐｔ＝ＴＬ＋Ｄ１×（ｎ１−１）＋Ｄ２×（ｎ２−１）
ＴＬ：全長、
Ｄ１：第１レンズの中心厚、
Ｄ２：第２レンズの中心厚、
ｎ１：第１レンズの設計基準波長に対する屈折率、
ｎ２：第２レンズの設計基準波長に対する屈折率、
ＬＢ：光学系最終面から近軸像面までの距離、
である。
【００２２】
上記光学構成を採用すれば、明るく、比較的広角でありながら、レンズ２枚のみで遠赤外線用結像光学系を構成することができ、また、非球面形状を利用することで十分な結像性能を得ることができる。第１レンズの正パワーによって、第２レンズに必要となるパワーを小さくすることができ、第２レンズの形状に与える負担を小さくすることができる。また、第２レンズが近軸で両凸形状を有することによって、同じシェーピングファクターの物体側に凸の正メニスカス形状と比べると、主点位置がレンズ自体に近いところにあるため、同じパワーを有する場合でもレンズを絞り寄りに配置することができる。そのため、画角を大きくとっても、光束が第２レンズを通過する領域は小さく抑えられ、第２レンズの有効径を小さくすることができる。したがって、第２レンズの体積を小さくすることができ、硝材費のコストを低減する効果が得られる。
【００２３】
条件式（１）の下限を下回ると、結像光学系の光学的全長ＴＬｏｐｔに対する、光線の取り扱いに有効な長さが相対的に短くなるため、良好な収差補正（例えば、コマ収差，非点収差等の補正）が行えなくなる。また、条件式（１）の上限を上回ると、像面の前に充分な空間を確保できなくなり、レンズが遠赤外線を吸収することにより生じる熱輻射によって、撮像素子が影響を受けてしまう。条件式（１）の範囲内であれば、収差を適切に補正しつつも、系の小型化を無理のない範囲で実現することができる。なお、ＬＢは、像面のひとつ前にあって結像性能に寄与する面から像面までの距離であり、例えば、後述する実施例１では像面直前の光束規制板ＳＰ（図１）がその面に該当する。
【００２４】
上記特徴的構成によると、安価に製造できる構成を有し、かつ、広角でありながら良好な結像性能を有する遠赤外線用結像光学系及びそれを備えた撮像光学装置を実現することが可能である。そして、その撮像光学装置を監視カメラ，防犯カメラ，携帯端末等のデジタル機器に用いれば、デジタル機器に対し高性能の遠赤外線画像入力機能をコンパクトに付加することが可能となり、そのコンパクト化，高性能化，高機能化等に寄与することができる。こういった効果をバランス良く得るとともに、更に高い光学性能，小型化等を達成するための条件等を以下に説明する。
【００２５】
以下の条件式（１ａ）を満たすことが望ましく、条件式（１ｂ）を満たすことが更に望ましい。
０．６＜（ＴＬｏｐｔ−ＬＢ）／ＴＬｏｐｔ＜０．８５  …（１ａ）
０．６＜（ＴＬｏｐｔ−ＬＢ）／ＴＬｏｐｔ＜０．８  …（１ｂ）
これらの条件式（１ａ），（１ｂ）は、前記条件式（１）が規定している条件範囲のなかでも、前記観点等に基づいた更に好ましい条件範囲を規定している。したがって、好ましくは条件式（１ａ）、更に好ましくは条件式（１ｂ）を満たすことにより、上記効果をより一層大きくすることができる。
【００２６】
前記第１，第２レンズが有するレンズ面のうちのいずれか１面に回折構造を有することが望ましい。回折構造を持たせることで、軸上色収差の補正を良好に行うことができる。
【００２７】
前記第１レンズの物体側面に回折構造を有することが望ましい。これは、赤外線カメラとして良好な出力画像を得るための好ましい条件である。このように像面から最も離れた位置に回折構造を設けることで、回折構造に起因する散乱光や、高屈折率材料を使用する際に注意すべき全反射光が、予想外の光路で像面に到達する危険性を減らすことができる。
【００２８】
前記第２レンズの物体側面に回折構造を有することが望ましい。これは、良好な出力画像を得るための好ましい条件である。このように構成すれば、いずれの画角においても光束の通過する回折面内の範囲が大きく違わないため、回折構造がより有効に作用し、結果として、適切な収差補正を行うことができる。
【００２９】
前記第１，第２レンズを構成する硝材がカルコゲナイドガラスのみであり、使用波長範囲が３μｍ以上１３μｍ以下であることが望ましい。これは、第１，第２レンズの作製を容易にするための好ましい条件である。カルコゲナイドガラスは、少なくとも５μｍ以上１０μｍ以下の波長範囲において、５５％以上の透過率を有するものであり、Ｓ（硫黄），Ｓｅ（セレン），Ｔｅ（テルル）といったカルコゲン元素のいずれかを成分として含むガラスである。カルコゲナイドはモールド成形が可能であるため、切削に比べて硝材を無駄にすることが少ない。したがって、カルコゲナイドを用いることにより低コスト化が可能となる。
【００３０】
前記第１レンズと前記第２レンズとの中間に絞りが位置することが望ましい。これは、結像性能を良好に発揮することができる条件である。絞りを２枚のレンズの中間に配置することにより、子午面内で考えて、それぞれのレンズにより別々のマージナル光線の収差を補正することができる。また、軸上から最周辺の光束が各レンズを通過する領域を小さく抑えることができ、結果として、レンズの体積を比較的小さくすることができる。そのため、硝材費の低減を図ることができる。
【００３１】
以下の条件式（２）を満足することが望ましい。
０＜（ＴＬ×Ｆｎｏ／ｆ）×（Ｒ１Ａ／Ｒ２Ａ）＜１．５  …（２）
ただし、
ＴＬ：全長、
Ｆｎｏ：Ｆナンバー、
ｆ：全系の焦点距離、
Ｒ１Ａ：第１レンズの物体側面の近軸曲率半径、
Ｒ２Ａ：第２レンズの物体側面の近軸曲率半径、
である。
【００３２】
条件式（２）は、小型で良好な結像性能を得るうえで好ましい条件を規定している。この条件式（２）の上限を上回ると、全長や有効径を大きくする必要が生じるため、小型には適さなくなる。条件式（２）の下限を下回ると、全系の焦点距離が負となるため、結像光学系としての役割を果たさない。
【００３３】
以下の条件式（２ａ）を満たすことが望ましく、条件式（２ｂ）を満たすことが更に望ましい。
０＜（ＴＬ×Ｆｎｏ／ｆ）×（Ｒ１Ａ／Ｒ２Ａ）＜１．３  …（２ａ）
０．１＜（ＴＬ×Ｆｎｏ／ｆ）×（Ｒ１Ａ／Ｒ２Ａ）＜１．２  …（２ｂ）
これらの条件式（２ａ），（２ｂ）は、前記条件式（２）が規定している条件範囲のなかでも、前記観点等に基づいた更に好ましい条件範囲を規定している。したがって、好ましくは条件式（２ａ）、更に好ましくは条件式（２ｂ）を満たすことにより、上記効果をより一層大きくすることができる。また、条件式（２ｂ）の下限を下回ると（０〜０．１において）、第１レンズでの光線の偏角が大きくなるため、球面収差をはじめとする諸収差が増大し、良好な結像性能を得難くなる。
【００３４】
以下の条件式（３）を満足することが望ましい。
０＜Ｆｎｏ×（（Ｄ１＋Ｄ２）／ｆ）×（Ｒ１Ａ／Ｒ２Ａ）＜０．５  …（３）
ただし、
Ｆｎｏ：Ｆナンバー、
Ｄ１：第１レンズの中心厚、
Ｄ２：第２レンズの中心厚、
ｆ：全系の焦点距離、
Ｒ１Ａ：第１レンズの物体側面の近軸曲率半径、
Ｒ２Ａ：第２レンズの物体側面の近軸曲率半径、
である。
【００３５】
条件式（３）は、結像性能を良好にし、かつ、製造時のコストを低減するうえで好ましい条件を規定している。この条件式（３）の上限を上回ると、レンズの厚みが増し、硝材を使用する体積が増えるため、コストの増大を招く傾向となる。条件式（３）の下限を下回ると、諸収差の劣化により良好な結像性能が得られなくなるおそれがある。
【００３６】
以下の条件式（３ａ）を満たすことが望ましく、条件式（３ｂ）を満たすことが更に望ましい。
０＜Ｆｎｏ×（（Ｄ１＋Ｄ２）／ｆ）×（Ｒ１Ａ／Ｒ２Ａ）＜０．４５  …（３ａ）
０＜Ｆｎｏ×（（Ｄ１＋Ｄ２）／ｆ）×（Ｒ１Ａ／Ｒ２Ａ）＜０．４  …（３ｂ）
これらの条件式（３ａ），（３ｂ）は、前記条件式（３）が規定している条件範囲のなかでも、前記観点等に基づいた更に好ましい条件範囲を規定している。したがって、好ましくは条件式（３ａ）、更に好ましくは条件式（３ｂ）を満たすことにより、上記効果をより一層大きくすることができる。
【００３７】
以下の条件式（４）を満足することが望ましい。
０．００１＜Ｐ＜０．０３５  …（４）
ただし、
Ｐ：波長１００００ｎｍにおける回折光学面のパワー（ｍｍ-1）、
である。
【００３８】
条件式（４）は、良好な結像性能を得るうえで好ましい条件を規定している。この条件式（４）の範囲を外れると、硝材やレンズ形状によって生じる分散に対して逆の分散を適切に与えることができなくなるため、軸上色収差を適切に補正することが困難になる。
【００３９】
以下の条件式（４ａ）を満たすことが望ましく、条件式（４ｂ）を満たすことが更に望ましい。
０．００１＜Ｐ＜０．０２０  …（４ａ）
０．００２＜Ｐ＜０．０１５  …（４ｂ）
これらの条件式（４ａ），（４ｂ）は、前記条件式（４）が規定している条件範囲のなかでも、前記観点等に基づいた更に好ましい条件範囲を規定している。したがって、好ましくは条件式（４ａ）、更に好ましくは条件式（４ｂ）を満たすことにより、上記効果をより一層大きくすることができる。
【００４０】
本発明に係る遠赤外線用結像光学系は、画像入力機能付きデジタル機器（例えば携帯端末）用の撮像光学系としての使用に適しており、これを撮像素子等と組み合わせることにより、被写体の遠赤外線映像を光学的に取り込んで電気的な信号として出力する遠赤外線用撮像光学装置を構成することができる。撮像光学装置は、被写体の静止画撮影や動画撮影に用いられるカメラの主たる構成要素を成す光学装置であり、例えば、物体（すなわち被写体）側から順に、物体の遠赤外線光学像を形成する結像光学系と、その結像光学系により形成された遠赤外線光学像を電気的な信号に変換する撮像素子と、を備えることにより構成される。そして、撮像素子の受光面（すなわち撮像面）上に被写体の遠赤外線光学像が形成されるように、前述した特徴的構成を有する遠赤外線用結像光学系が配置されることにより、小型・低コストで高い性能を有する撮像光学装置やそれを備えたデジタル機器を実現することができる。
【００４１】
遠赤外線画像入力機能付きデジタル機器の例としては、赤外線カメラ，監視カメラ，防犯カメラ，車載カメラ，航空機カメラ，デジタルカメラ，ビデオカメラ，テレビ電話用カメラ等のカメラが挙げられ、また、パーソナルコンピュータ，携帯端末（例えば、携帯電話，スマートフォン（高機能携帯電話），モバイルコンピュータ等の小型で携帯可能な情報機器端末），これらの周辺機器（スキャナー，プリンター等），その他のデジタル機器（ドライブレコーダ，防衛機器等）等に内蔵又は外付けされるカメラが挙げられる。これらの例から分かるように、遠赤外線用の撮像光学装置を用いることにより赤外線カメラを構成することができるだけでなく、その撮像光学装置を各種機器に搭載することにより赤外線カメラ機能を付加することが可能である。例えば、赤外線カメラ付きスマートフォン等の遠赤外線画像入力機能を備えたデジタル機器を構成することが可能である。
【００４２】
遠赤外線画像入力機能付きデジタル機器の一例として、図５３にデジタル機器ＤＵの概略構成例を模式的断面で示す。図５３に示すデジタル機器ＤＵに搭載されている撮像光学装置ＬＵは、物体（すなわち被写体）側から順に、物体の遠赤外線光学像（像面）ＩＭを形成する結像光学系ＬＮ（ＡＸ：光軸）と、平行平板ＰＴ（撮像素子ＳＲのカバーガラス、必要に応じて配置される光学的ローパスフィルタ等の光学フィルタ等に相当する。）と、結像光学系ＬＮにより受光面（撮像面）ＳＳ上に形成された光学像ＩＭを電気的な信号に変換する撮像素子ＳＲと、を備えている。この撮像光学装置ＬＵで画像入力機能付きデジタル機器ＤＵを構成する場合、通常そのボディ内部に撮像光学装置ＬＵを配置することになるが、カメラ機能を実現する際には必要に応じた形態を採用することが可能である。例えば、ユニット化した撮像光学装置ＬＵをデジタル機器ＤＵの本体に対して着脱可能又は回動可能に構成することが可能である。
【００４３】
結像光学系ＬＮは、物体側より順に、正パワーを有する第１レンズと、正パワーを有する第２レンズと、からなる２枚構成の単焦点レンズであり、前述したように、撮像素子ＳＲの受光面ＳＳ上に遠赤外線からなる光学像ＩＭを形成する構成になっている。撮像素子ＳＲとしては、例えば複数の画素を有するＣＣＤ型イメージセンサー，ＣＭＯＳ型イメージセンサー等の固体撮像素子が用いられる。結像光学系ＬＮは、撮像素子ＳＲの光電変換部である受光面ＳＳ上に被写体の光学像ＩＭが形成されるように設けられているので、結像光学系ＬＮによって形成された光学像ＩＭは、撮像素子ＳＲによって電気的な信号に変換される。
【００４４】
デジタル機器ＤＵは、撮像光学装置ＬＵの他に、信号処理部１，制御部２，メモリー３，操作部４，表示部５等を備えている。撮像素子ＳＲで生成した信号は、信号処理部１で所定のデジタル画像処理や画像圧縮処理等が必要に応じて施され、デジタル映像信号としてメモリー３（半導体メモリー，光ディスク等）に記録されたり、場合によってはケーブルを介したり赤外線信号等に変換されたりして他の機器に伝送される（例えば携帯電話の通信機能）。制御部２はマイクロコンピュータからなっており、撮影機能（静止画撮影機能，動画撮影機能等），画像再生機能等の機能の制御；フォーカシングのためのレンズ移動機構の制御等を集中的に行う。例えば、被写体の静止画撮影，動画撮影のうちの少なくとも一方を行うように、制御部２により撮像光学装置ＬＵに対する制御が行われる。表示部５は液晶モニター等のディスプレイを含む部分であり、撮像素子ＳＲによって変換された画像信号あるいはメモリー３に記録されている画像情報を用いて画像表示を行う。操作部４は、操作ボタン（例えばレリーズボタン），操作ダイヤル（例えば撮影モードダイヤル）等の操作部材を含む部分であり、操作者が操作入力した情報を制御部２に伝達する。
【００４５】
図１，図３，図５，…，図４９，図５１に、無限遠合焦状態にある遠赤外線用結像光学系ＬＮの第１〜第２６の実施の形態を、光路と共に光学断面でそれぞれ示す。第１〜第２６の実施の形態の結像光学系ＬＮは、物体側より順に、正パワーを有する第１レンズＬ１と、正パワーを有する第２レンズＬ２と、からなっている。第１レンズＬ１は近軸で物体側に凸の正メニスカス形状を有する両面非球面レンズであり、第２レンズＬ２は近軸で両凸形状を有する両面非球面レンズである。
【００４６】
第１〜第９，第１１〜第１３，第１５〜第１７，第２１〜第２６の実施の形態では、第１レンズＬ１の物体側面に回折構造が設けられている。また、第１８の実施の形態では第１レンズＬ１の像側面に回折構造が設けられており、第１９の実施の形態では第２レンズＬ２の像側面に回折構造が設けられており、第２０の実施の形態では第２レンズＬ２の物体側面に回折構造が設けられている。各実施の形態において第１，第２レンズＬ１，Ｌ２間には開口絞りＳＴが配置されており、さらに、第１の実施の形態では最も像側に光束規制板ＳＰが配置されており、第８，第９，第１３の実施の形態では最も物体側に光束規制板ＳＰが配置されている。
【実施例】
【００４７】
以下、本発明を実施した遠赤外線用結像光学系の構成等を、実施例のコンストラクションデータ等を挙げて更に具体的に説明する。ここで挙げる実施例１〜２６（ＥＸ１〜２６）は、前述した第１〜第２６の実施の形態にそれぞれ対応する数値実施例であり、第１〜第２６の実施の形態を表す光学構成図（図１，図３，図５，…，図４９，図５１）は、対応する実施例１〜２６のレンズ構成（レンズ断面形状，レンズ配置等），光路等をそれぞれ示している。
【００４８】
各実施例のコンストラクションデータでは、面データとして、左側の欄から順に、面番号，近軸における曲率半径ｒ（ｍｍ），軸上面間隔ｄ（ｍｍ），材料名，有効半径（ｍｍ）を示す。屈折率データとして、各レンズを構成する光学材料の各波長（８０００ｎｍ，１００００ｎｍ，１２０００ｎｍ）に対する屈折率を示す。
【００４９】
面番号に＊が付された面は非球面であり、その面形状は面頂点を原点とするローカルな直交座標系（Ｘ，Ｙ，Ｚ）を用いた以下の式（ＡＳ）で定義される。非球面データとして、非球面係数等を示す。なお、各実施例の非球面データにおいて表記の無い項の係数は０であり、すべてのデータに関してＥ−ｎ＝×１０-nである。
【００５０】
【数１】
2014149430.tif 000003
…（ＡＳ）
【００５１】
ただし、
ｈ：Ｘ軸（光軸ＡＸ）に対して垂直な方向の高さ（ｈ2＝Ｙ2＋Ｚ2）、
Ｘ：高さｈの位置での光軸ＡＸ方向のサグ量（面頂点基準）、
Ｒ：基準曲率半径（曲率半径ｒに相当する。）、
Ｋ：円錐定数、
Ａｉ：ｉ次の非球面係数、
である。
【００５２】
面番号に＃が付された面は回折面であり、その回折構造は以下の式（ＤＳ）で定義される。回折面データとして、回折次数，光路差関数φの係数等を示す。なお、各実施例の回折面データにおいて表記の無い項の係数は０であり、すべてのデータに関してＥ−ｎ＝×１０-nである。
【００５３】
【数２】
2014149430.tif 000004
…（ＤＳ）
【００５４】
ただし、
φ：光路差関数、
Ｃｉ：光路差関数の係数、
ｈ：光軸ＡＸに対して垂直な方向の高さ、
である。
【００５５】
表１及び表２に、各種データとして、Ｆナンバー（Ｆｎｏ），半画角（ω，°），全系の焦点距離（ｆ，ｍｍ），最大像高（Ｙ’，ｍｍ），レンズ全長（ＴＬ，ｍｍ），レンズバック（ＬＢ，ｍｍ），第１レンズＬ１の焦点距離（ｆＬ１，ｍｍ），第２レンズＬ２の焦点距離（ｆＬ２，ｍｍ），第１レンズＬ１の物体側面の近軸曲率半径（Ｒ１Ａ，ｍｍ），第２レンズＬ２の物体側面の近軸曲率半径（Ｒ２Ａ，ｍｍ），第１レンズＬ１の中心厚（Ｄ１，ｍｍ），第２レンズＬ２の中心厚（Ｄ２，ｍｍ），光学的全長（ＴＬｏｐｔ，ｍｍ），回折面位置（Ｓ１Ａ：第１レンズＬ１の物体側面，Ｓ１Ｂ：第１レンズＬ１の像側面，Ｓ２Ａ：第２レンズＬ２の物体側面，Ｓ２Ｂ：第２レンズＬ２の像側面）を示す。また、表３に各実施例の条件式対応値を示す。
【００５６】
図２，図４，図６，…，図５０，図５２は、実施例１〜２６（ＥＸ１〜２６）にそれぞれ対応する収差図であり、（Ａ）は球面収差図、（Ｂ）は非点収差図、（Ｃ）は歪曲収差図である。球面収差図は、実線で示す設計基準波長（評価波長）１００００ｎｍにおける球面収差量、一点鎖線で示す波長８０００ｎｍにおける球面収差量、破線で示す波長１２０００ｎｍにおける球面収差量を、それぞれ近軸像面からの光軸ＡＸ方向のズレ量（ｍｍ）で表しており、縦軸は瞳への入射高さをその最大高さで規格化した値（すなわち相対瞳高さ）を表している。非点収差図において、破線Ｔは設計基準波長１００００ｎｍにおけるタンジェンシャル像面、実線Ｓは設計基準波長１００００ｎｍにおけるサジタル像面を、近軸像面からの光軸ＡＸ方向のズレ量（ｍｍ）で表しており、縦軸は半画角ω（ＡＮＧＬＥ，°）を表している。歪曲収差図において、横軸は設計基準波長１００００ｎｍにおける歪曲（％）を表しており、縦軸は半画角ω（ＡＮＧＬＥ，°）を表している。なお、半画角ωの最大値は、像面ＩＭにおける最大像高Ｙ’（撮像素子ＳＲの受光面ＳＳの対角長の半分）に相当する。
【００５７】
実施例１（図１）は、心厚が薄い例であり、最も像側に光束規制板ＳＰが配置されている。実施例５（図９）等では、第１レンズＬ１の物体側面が凸面なので回折面の加工が容易であり、像面から遠いのでゴースト等が発生しにくい。実施例８（図１５）は、最も物体側に光束規制板ＳＰが配置されている。実施例９（図１７）は、条件式（１）の対応値が小さい例であり、最も物体側に光束規制板ＳＰが配置されている。
【００５８】
実施例１０（図１９）は、回折面を持たず、条件式（１）の対応値が大きい例である。実施例１１（図２１）は、他の実施例よりも画角が広い例である。実施例１３（図２５）は、最も物体側に光束規制板ＳＰが配置されている。実施例１４（図２７）は、回折面を持たず、条件式（３）の対応値が大きい例である。実施例１５（図２９）は、条件式（４）の対応値が大きい例である。
【００５９】
実施例１８（図３５）は、第１レンズＬ１の像側面が回折面からなっているため、汚れが着きにくく、また、絞りＳＴに近いので回折の効果を引き出し易い。実施例１９（図３７）は、第２レンズＬ２の像側面が回折面からなっているため汚れが着きにくく、また、凸面なので加工し易い。実施例２０（図３９）は、第２レンズＬ２の物体側面が回折面からなっているため汚れが着きにくく、絞りＳＴに近いのでより回折の効果を引き出し易く、また、凸面なので加工し易い。
【００６０】
実施例２１（図４１）は第２レンズＬ２がゲルマニウムからなっており、実施例２２（図４３）は第１レンズＬ１がゲルマニウムからなっている。実施例２３（図４５）は第１レンズＬ１がＺｎＳからなっており、実施例２４（図４７）は第２レンズＬ２がＺｎＳからなっている。実施例２５（図４９）は硝材がゲルマニウムのみであり、実施例２６（図５１）は硝材がＺｎＳのみである。
【００６１】
実施例１
単位：mm
面データ
面番号                   r           d       材料名       有効半径
物面                   ∞          ∞
1*#                4.6472      0.5500   カルコゲナイド    3.5928
2*                 5.0256      1.8449                     3.5046
3(絞り)                ∞      2.5067                     3.1398
4*                19.1405      0.5500   カルコゲナイド    2.9413
5*              -580.0130      0.7200                     3.0633
6(光束規制板)          ∞      4.4762                     3.0000
像面                   ∞      0.0000
【００６２】
屈折率データ
屈折率        屈折率       屈折率
材料名            波長8000nm   波長10000nm   波長12000nm
カルコゲナイド       2.746         2.724         2.687
【００６３】
非球面データ
第1面            第2面             第4面            第5面
Ｒ               4.647            5.026            19.140         -580.013
Ｋ        -1.128164951     -0.618998373       10.03239393                0
A4         1.91160E-03      9.21920E-04       8.76312E-04      1.55254E-03
A6        -5.53753E-07      2.81062E-04      -2.97564E-04     -2.85121E-04
A8         2.43407E-05     -1.66583E-05       7.01907E-05      1.67207E-05
A10       -2.03667E-06      2.65114E-06      -1.94898E-05      6.69003E-07
A12        2.94610E-08     -5.44957E-07       2.36260E-06     -6.30542E-07
A14       -3.53943E-09      2.05726E-08      -1.39650E-07      2.56646E-08
【００６４】
回折面データ
回折次数                      1
規格化波長[nm]            10000
C1                 -0.003168382
C2                  0.000684443
C3                    -2.75E-04
C4                     3.60E-05
C5                    -2.01E-06
C6                     4.03E-08
【００６５】
実施例２
単位：mm
面データ
面番号                   r           d       材料名       有効半径
物面                   ∞          ∞
1*#                5.1321      1.1013   カルコゲナイド    3.9397
2*                 6.1248      2.4963                     3.5326
3(絞り)                ∞      1.6265                     2.3359
4*                39.1212      3.5000   カルコゲナイド    2.5483
5*              -349.2958      2.3724                     3.3369
像面                   ∞      0.0000
【００６６】
屈折率データ
屈折率        屈折率       屈折率
材料名            波長8000nm   波長10000nm   波長12000nm
カルコゲナイド       2.746         2.724         2.687
【００６７】
非球面データ
第1面            第2面             第4面            第5面
Ｒ               5.132            6.125            39.121         -349.296
Ｋ         0.528685932      1.510710519                 0                0
A4        -1.78255E-04     -3.57436E-04      -1.45291E-03     -7.96057E-04
A6        -1.48428E-05      4.18231E-05      -3.18622E-04     -1.11129E-04
A8         1.22679E-06     -3.40046E-06       3.95391E-05     -4.49795E-06
A10       -5.94336E-08      1.27904E-07      -6.30261E-06      3.58324E-07
【００６８】
回折面データ
回折次数                      1
規格化波長[nm]            10000
C1                 -0.003618917
C2                  0.000154088
C3                    -4.09E-05
C4                     3.03E-06
C5                    -8.87E-08
【００６９】
実施例３
単位：mm
面データ
面番号                   r           d       材料名       有効半径
物面                   ∞          ∞
1*#                4.6250      1.2000   カルコゲナイド    3.8211
2*                 5.0325      2.7432                     3.3021
3(絞り)                ∞      1.2612                     2.1901
4*                33.4309      0.9000   カルコゲナイド    2.4311
5*              -298.4905      3.3064                     2.8599
像面                   ∞      0.0000
【００７０】
屈折率データ
屈折率        屈折率       屈折率
材料名            波長8000nm   波長10000nm   波長12000nm
カルコゲナイド       2.746         2.724         2.687
【００７１】
非球面データ
第1面            第2面             第4面            第5面
Ｒ               4.625            5.032            33.431         -298.490
Ｋ         0.411119619       1.12793397                 0                0
A4        -5.17428E-05     -2.14005E-04      -2.82359E-03     -2.56314E-03
A6        -2.44268E-05      5.78816E-05      -1.03723E-03     -4.25741E-04
A8         2.01595E-06     -8.29633E-06       1.71925E-04     -2.51559E-05
A10       -6.74028E-08      6.25314E-07      -3.62166E-05     -2.90350E-07
【００７２】
回折面データ
回折次数                      1
規格化波長[nm]            10000
C1                 -0.004375802
C2                  0.000228144
C3                    -6.11E-05
C4                     5.54E-06
C5                    -2.01E-07
【００７３】
実施例４
単位：mm
面データ
面番号                   r           d       材料名       有効半径
物面                   ∞          ∞
1*#                4.5154      1.2214   カルコゲナイド    3.7987
2*                 5.0240      2.5676                     3.3088
3(絞り)                ∞      1.2907                     2.1655
4*                53.0307      0.9389   カルコゲナイド    2.3181
5*              -473.4882      2.9814                     2.8107
像面                   ∞      0.0000
【００７４】
屈折率データ
屈折率        屈折率       屈折率
材料名            波長8000nm   波長10000nm   波長12000nm
カルコゲナイド       2.746         2.724         2.687
【００７５】
非球面データ
第1面            第2面             第4面            第5面
Ｒ               4.515            5.024            53.031         -473.488
Ｋ         0.341792828      1.023940121                 0                0
A4        -2.13756E-04     -4.32777E-04      -3.80488E-03     -3.78681E-03
A6        -1.72542E-05      7.31560E-05      -1.43752E-03     -2.52131E-04
A8         2.28196E-06     -7.71118E-06       2.93966E-04     -6.87773E-05
A10       -1.07095E-07      4.89080E-07      -6.48178E-05      2.41288E-06
【００７６】
回折面データ
回折次数                      1
規格化波長[nm]            10000
C1                 -0.004199746
C2                     1.63E-05
C3                    -3.00E-05
C4                     3.46E-06
C5                    -1.51E-07
【００７７】
実施例５
単位：mm
面データ
面番号                   r           d       材料名       有効半径
物面                   ∞          ∞
1*#                6.6216      1.2922   カルコゲナイド    5.0489
2*                 9.0706      3.4572                     4.7322
3(絞り)                ∞      1.7642                     1.9515
4*                31.0466      2.2000   カルコゲナイド    2.6282
5*              -383.2905      1.9719                     3.2582
像面                   ∞      0.0000
【００７８】
屈折率データ
屈折率        屈折率       屈折率
材料名            波長8000nm   波長10000nm   波長12000nm
カルコゲナイド       2.746         2.724         2.687
【００７９】
非球面データ
第1面            第2面             第4面            第5面
Ｒ               6.622            9.071            31.047         -383.291
Ｋ        -0.251842421      0.410344191                 0                0
A4        -5.35843E-05     -3.57552E-04      -3.47673E-04      4.99483E-04
A6         1.32447E-05      4.57446E-05      -4.49378E-04     -1.62923E-04
A8        -8.55219E-07     -5.19879E-06                       -7.35763E-05
A10        1.37018E-08      2.74376E-07                        1.32222E-05
A12        8.68873E-10     -4.21546E-09                       -1.02331E-06
A14                                                            3.17123E-08
【００８０】
回折面データ
回折次数                      1
規格化波長[nm]            10000
C1                 -0.003660747
C2                     5.43E-05
C3                    -1.01E-05
C4                     5.02E-07
C5                    -9.16E-09
【００８１】
実施例６
単位：mm
面データ
面番号                   r           d       材料名       有効半径
物面                   ∞          ∞
1*#                4.6389      1.1812   カルコゲナイド    3.8057
2*                 5.1543      2.1772                     3.5716
3(絞り)                ∞      1.6693                     2.4997
4*                37.1546      1.2000   カルコゲナイド    2.5031
5*              -139.6790      3.4568                     3.1541
像面                   ∞      0.0000
【００８２】
屈折率データ
屈折率        屈折率       屈折率
材料名            波長8000nm   波長10000nm   波長12000nm
カルコゲナイド       2.746         2.724         2.687
【００８３】
非球面データ
第1面            第2面             第4面            第5面
Ｒ               4.639            5.154            37.155         -139.679
Ｋ         0.248440246     -2.396459257                 0                0
A4        -1.25732E-03      3.04348E-03      -3.46085E-03     -2.61127E-03
A6         3.73143E-04     -2.83871E-04      -7.82550E-04     -4.25831E-04
A8        -8.07637E-05      5.47574E-05       2.32675E-04      0.00000E+00
A10        8.67374E-06     -3.48042E-06      -1.03463E-04      1.41655E-06
A12       -5.42686E-07     -4.15965E-07       1.64534E-05     -2.38266E-07
A14        1.65970E-08      4.30048E-08      -4.89521E-07
A16       -3.30958E-10     -1.01612E-09      -1.25927E-07
【００８４】
回折面データ
回折次数                      1
規格化波長[nm]            10000
C1                 -0.001565396
C2                 -0.002086163
C3                     7.85E-04
C4                    -1.48E-04
C5                     1.43E-05
C6                    -6.81E-07
C7                     1.27E-08
【００８５】
実施例７
単位：mm
面データ
面番号                   r           d       材料名       有効半径
物面                   ∞          ∞
1*#                5.1432      0.7121   カルコゲナイド    3.8310
2*                 5.7146      3.1885                     3.7497
3(絞り)                ∞      0.9410                     2.6585
4*                24.3711      1.3000   カルコゲナイド    2.9249
5*               -91.6204      4.8281                     3.1028
像面                   ∞      0.0000
【００８６】
屈折率データ
屈折率        屈折率       屈折率
材料名            波長8000nm   波長10000nm   波長12000nm
カルコゲナイド       2.746         2.724         2.687
【００８７】
非球面データ
第1面            第2面             第4面            第5面
Ｒ               5.143            5.715            24.371          -91.620
Ｋ         0.528569708      -0.91042288                 0                0
A4         1.62819E-05      2.95356E-03      -5.32729E-05      3.33076E-04
A6         1.83694E-04     -4.78880E-04      -5.60677E-05     -6.71829E-05
A8        -6.53672E-05      8.16500E-05       6.07669E-06      0.00000E+00
A10        8.98946E-06     -3.51478E-06      -2.86864E-06     -1.87970E-07
A12       -6.38883E-07     -4.94350E-07       1.74129E-07     -2.37800E-08
A14        1.72697E-08      4.22267E-08       1.69672E-08
A16       -1.85560E-10     -8.80961E-10      -2.21000E-09
【００８８】
回折面データ
回折次数                      1
規格化波長[nm]            10000
C1                 -0.002536971
C2                 -0.001355118
C3                     7.05E-04
C4                    -1.53E-04
C5                     1.58E-05
C6                    -7.89E-07
C7                     1.52E-08
【００８９】
実施例８
単位：mm
面データ
面番号                   r           d       材料名       有効半径
物面                   ∞          ∞
1(光束規制板)          ∞      0.0000                     3.4210
2*#                5.8511      0.9079   カルコゲナイド    3.4201
3*                 6.4796      1.1188                     3.3652
4(絞り)                ∞      2.4456                     3.2204
5*                25.4122      1.2000   カルコゲナイド    3.2463
6*               -91.4107      5.0552                     3.3861
像面                   ∞      0.0000
【００９０】
屈折率データ
屈折率        屈折率       屈折率
材料名            波長8000nm   波長10000nm   波長12000nm
カルコゲナイド       2.746         2.724         2.687
【００９１】
非球面データ
第2面            第3面             第5面            第6面
Ｒ               5.851            6.480            25.412          -91.411
Ｋ        -0.173746323     -16.68263361                 0                0
A4        -2.42133E-04      6.32616E-03       3.60215E-05      7.17102E-04
A6         1.73373E-04     -6.52615E-04       1.71242E-04     -1.67343E-05
A8        -7.81624E-05      1.68079E-05      -8.05201E-05      0.00000E+00
A10        1.07761E-05      8.55672E-07       1.61450E-05     -9.55782E-07
A12       -8.17224E-07     -2.01287E-07      -1.96515E-06      3.79900E-08
A14        2.94992E-08      1.11563E-08       1.21068E-07
A16       -4.76843E-10     -2.02307E-10      -3.09896E-09
【００９２】
回折面データ
回折次数                      1
規格化波長[nm]            10000
C1                 -0.004668925
C2                  0.000970639
C3                    -1.76E-04
C4                    -1.51E-05
C5                     6.55E-06
C6                    -5.85E-07
C7                     1.68E-08
【００９３】
実施例９
単位：mm
面データ
面番号                   r           d       材料名       有効半径
物面                   ∞          ∞
1(光束規制板)          ∞      0.4400                     3.4201
2*#                7.7581      0.9800   カルコゲナイド    3.4201
3*                 8.5915      0.8249                     3.4984
4(絞り)                ∞      2.7881                     3.3782
5*                22.2494      0.9800   カルコゲナイド    3.6300
6*               -80.0337      5.7042                     3.7409
像面                   ∞      0.0000
【００９４】
屈折率データ
屈折率        屈折率       屈折率
材料名            波長8000nm   波長10000nm   波長12000nm
カルコゲナイド       2.746         2.724         2.687
【００９５】
非球面データ
第2面            第3面             第5面            第6面
Ｒ               7.758            8.591            22.249          -80.034
Ｋ         0.128065904     -26.58795864                 0                0
A4        -3.05597E-04      3.29951E-03       2.47757E-04      8.51968E-04
A6        -1.77458E-04     -5.37415E-04       1.91419E-04     -1.30986E-05
A8        -2.71312E-05      1.32462E-05      -7.67025E-05      0.00000E+00
A10        8.22667E-06      1.23036E-06       1.44490E-05     -2.71919E-07
A12       -1.02915E-06     -1.67097E-07      -1.54127E-06      2.86008E-10
A14        6.28439E-08      8.76232E-09       8.33915E-08
A16       -1.62860E-09     -2.12265E-10      -1.84266E-09
【００９６】
回折面データ
回折次数                      1
規格化波長[nm]            10000
C1                 -0.005666944
C2                  0.001877572
C3                    -5.23E-04
C4                     5.12E-05
C5                    -1.80E-07
C6                    -2.36E-07
C7                     9.45E-09
【００９７】
実施例１０
単位：mm
面データ
面番号                   r           d       材料名       有効半径
物面                   ∞          ∞
1*                 7.7249      2.7000   カルコゲナイド    4.9117
2*                 9.9162      2.2125                     3.8903
3(絞り)                ∞      2.3177                     2.1595
4*                20.4552      2.7000   カルコゲナイド    2.8953
5*              -234.6184      2.1267                     3.9518
像面                   ∞      0.0000
【００９８】
屈折率データ
屈折率        屈折率       屈折率
材料名            波長8000nm   波長10000nm   波長12000nm
カルコゲナイド       2.746         2.724         2.687
【００９９】
非球面データ
第1面            第2面             第4面            第5面
Ｒ               7.725            9.916            20.455         -234.618
Ｋ                   0                0                 0                0
A4        -1.54868E-04     -2.33154E-04      -8.79343E-04      7.05861E-04
A6         1.19759E-05      3.19082E-05       4.62150E-05     -4.65865E-04
A8        -1.63308E-06     -9.98562E-06      -7.73532E-05      4.46066E-05
A10        7.08840E-08      1.06040E-06       8.50581E-06     -4.18650E-06
A12       -1.13987E-09     -4.87823E-08       1.31791E-07      2.09325E-07
A14       -1.16389E-12      7.98191E-10      -8.02467E-08     -4.05264E-09
【０１００】
実施例１１
単位：mm
面データ
面番号                   r           d       材料名       有効半径
物面                   ∞          ∞
1*#                3.4785      0.6470   カルコゲナイド    2.6977
2*                 3.7788      1.6426                     2.5583
3(絞り)                ∞      0.9608                     1.8556
4*                15.6508      0.6470   カルコゲナイド    2.1954
5*              -294.7429      3.2079                     2.5163
像面                   ∞      0.0000
【０１０１】
屈折率データ
屈折率        屈折率       屈折率
材料名            波長8000nm   波長10000nm   波長12000nm
カルコゲナイド       2.746         2.724         2.687
【０１０２】
非球面データ
第1面            第2面             第4面            第5面
Ｒ               3.479            3.779            15.651         -294.743
Ｋ        -1.055566306     -0.477516216                 0                0
A4         7.62720E-03      9.21172E-03      -4.08821E-03      1.92410E-03
A6        -1.55535E-03     -5.05135E-03       5.09224E-03     -7.29879E-04
A8         3.50471E-04      2.05672E-03      -3.53398E-03     -1.42909E-04
A10       -1.19157E-05     -3.54834E-04       9.34801E-04      1.53215E-05
A12       -2.73522E-06      1.88207E-05      -1.02404E-04     -3.66231E-06
【０１０３】
回折面データ
回折次数                      1
規格化波長[nm]            10000
C1                 -0.006458426
C2                  0.001885715
C3                    -6.70E-04
C4                     9.73E-05
C5                    -5.33E-06
【０１０４】
実施例１２
単位：mm
面データ
面番号                   r           d       材料名       有効半径
物面                   ∞          ∞
1*#                6.9427      2.9916   カルコゲナイド    4.1503
2*                 6.3115      1.8575                     3.2200
3(絞り)                ∞      0.9061                     2.2947
4*                20.6153      3.0000   カルコゲナイド    2.6582
5*               -43.6902      3.6530                     3.3417
像面                   ∞      0.0000
【０１０５】
屈折率データ
屈折率        屈折率       屈折率
材料名            波長8000nm   波長10000nm   波長12000nm
カルコゲナイド       2.746         2.724         2.687
【０１０６】
非球面データ
第1面            第2面             第4面            第5面
Ｒ               6.943            6.312            20.615          -43.690
Ｋ                   0                0                 0                0
A4        -7.44856E-05     -1.12354E-03      -1.16318E-03     -8.08610E-04
A6        -3.73881E-05      1.97013E-05      -1.57571E-04     -7.61890E-05
A8         1.22212E-06     -2.26899E-05       1.22586E-05     -6.11463E-06
A10       -9.01681E-08      9.79894E-07      -3.10073E-06      3.23153E-07
【０１０７】
回折面データ
回折次数                      1
規格化波長[nm]            10000
C1                   -0.0028138
C2                  0.000316205
C3                    -4.03E-05
C4                     1.81E-06
C5                    -3.12E-08
【０１０８】
実施例１３
単位：mm
面データ
面番号                   r           d       材料名       有効半径
物面                   ∞          ∞
1(光束規制板)          ∞      0.0000                     4.8000
2*#                5.5529      2.0000   カルコゲナイド    4.2042
3*                 4.8286      2.0470                     3.0919
4(絞り)                ∞      2.7678                     2.7525
5*                16.3438      2.0000   カルコゲナイド    3.7093
6*              -326.8758      4.2094                     3.9886
像面                   ∞      0.0000
【０１０９】
屈折率データ
屈折率        屈折率       屈折率
材料名            波長8000nm   波長10000nm   波長12000nm
カルコゲナイド       2.746         2.724         2.687
【０１１０】
非球面データ
第2面            第3面             第5面            第6面
Ｒ               5.553            4.829            16.344         -326.876
Ｋ                   0                0                 0                0
A4         1.05062E-03      6.07854E-04      -1.64655E-04     -1.41857E-04
A6        -8.98335E-05      2.64218E-04      -2.59261E-05     -2.65747E-05
A8         5.17672E-06     -2.68247E-05      -1.34740E-06     -3.15380E-06
A10       -2.76820E-08      2.16995E-06      -7.83272E-08      8.45680E-08
【０１１１】
回折面データ
回折次数                      1
規格化波長[nm]            10000
C1                 -0.005612226
C2                  0.001662459
C3                 -0.000263973
C4                     1.63E-05
C5                    -3.54E-07
【０１１２】
実施例１４
単位：mm
面データ
面番号                   r           d       材料名       有効半径
物面                   ∞          ∞
1*                 7.0913      2.5000   カルコゲナイド    3.6465
2*                 5.6595      0.8801                     3.2081
3(絞り)                ∞      1.2662                     3.0833
4*                12.4696      2.5000   カルコゲナイド    3.2726
5*              -115.2462      5.3755                     3.6104
像面                   ∞      0.0000
【０１１３】
屈折率データ
屈折率        屈折率       屈折率
材料名            波長8000nm   波長10000nm   波長12000nm
カルコゲナイド       2.746         2.724         2.687
【０１１４】
非球面データ
第1面            第2面             第4面            第5面
Ｒ               7.091            5.659            12.470         -115.246
Ｋ                   0                0                 0                0
A4        -6.59514E-04     -1.85746E-03       7.23618E-04      1.27332E-03
A6        -8.68487E-05     -1.59981E-04      -1.97861E-04     -1.41189E-04
A8         9.66931E-06     -1.91640E-05       5.56517E-05      3.21524E-05
A10       -1.66428E-06      2.26377E-06      -1.13101E-05     -6.08135E-06
A12        1.14992E-07     -9.25099E-08       9.95569E-07      4.01462E-07
A14       -3.29971E-09      1.44965E-09      -3.68518E-08     -9.08254E-09
【０１１５】
実施例１５
単位：mm
面データ
面番号                   r           d       材料名       有効半径
物面                   ∞          ∞
1*#                6.1787      2.5000   カルコゲナイド    3.9407
2*                 5.1489      1.8921                     3.1704
3(絞り)                ∞      0.4876                     2.3834
4*                36.6634      2.5000   カルコゲナイド    2.5705
5*               -21.3332      4.4532                     3.1307
像面                   ∞      0.0000
【０１１６】
屈折率データ
屈折率        屈折率       屈折率
材料名            波長8000nm   波長10000nm   波長12000nm
カルコゲナイド       2.746         2.724         2.687
【０１１７】
非球面データ
第1面            第2面             第4面            第5面
Ｒ               6.179            5.149            36.663          -21.333
Ｋ                   0                0                 0                0
A4         8.63034E-04     -7.76317E-04      -8.43978E-04     -4.54078E-04
A6        -1.52457E-04     -1.04515E-05      -1.48845E-04     -6.48877E-05
A8         3.65484E-06     -2.45780E-05       9.74700E-06     -6.01794E-06
A10        2.57080E-07     -5.35704E-07      -3.28023E-06      1.88877E-07
A12       -2.06704E-08      9.06530E-08
【０１１８】
回折面データ
回折次数                      1
規格化波長[nm]            10000
C1                 -0.007376102
C2                   0.00212927
C3                 -0.000342734
C4                     2.32E-05
C5                    -5.72E-07
【０１１９】
実施例１６
単位：mm
面データ
面番号                   r           d       材料名       有効半径
物面                   ∞          ∞
1*#                5.1477      1.8976   カルコゲナイド    3.8324
2*                 4.6797      1.5135                     2.7795
3(絞り)                ∞      2.6649                     2.4440
4*                14.3177      2.0000   カルコゲナイド    3.4417
5*                     ∞      3.4268                     3.8710
像面                   ∞      0.0000
【０１２０】
屈折率データ
屈折率        屈折率       屈折率
材料名            波長8000nm   波長10000nm   波長12000nm
カルコゲナイド       2.746         2.724         2.687
【０１２１】
非球面データ
第1面            第2面             第4面            第5面
Ｒ               5.148            4.680            14.318     -2.51182E+14
Ｋ                   0                0                 0                0
A4         6.78758E-04      9.23645E-04      -4.78947E-05     -1.25620E-05
A6        -4.61577E-05      2.87865E-04      -9.84231E-05     -7.56947E-05
A8         3.45048E-06     -2.54707E-05       3.67657E-06     -5.35438E-06
A10        4.61052E-08      2.62321E-06      -5.83771E-07      1.87232E-07
【０１２２】
回折面データ
回折次数                      1
規格化波長[nm]            10000
C1                 -0.003186839
C2                  0.000950398
C3                 -0.000202033
C4                     1.47E-05
C5                    -3.60E-07
【０１２３】
実施例１７
単位：mm
面データ
面番号                   r           d       材料名       有効半径
物面                   ∞          ∞
1*#                6.1914      2.0000   カルコゲナイド    3.9942
2*                 5.3838      2.3676                     3.4180
3(絞り)                ∞      0.9106                     2.6286
4*                19.8856      2.0000   カルコゲナイド    3.0486
5*               -36.9502      4.9184                     3.4533
像面                   ∞      0.0000
【０１２４】
屈折率データ
屈折率        屈折率       屈折率
材料名            波長8000nm   波長10000nm   波長12000nm
カルコゲナイド       2.746         2.724         2.687
【０１２５】
非球面データ
第1面            第2面             第4面            第5面
Ｒ               6.191            5.384            19.886          -36.950
Ｋ                   0                0                 0                0
A4         2.62762E-04     -9.58643E-04      -3.91462E-04     -2.54857E-04
A6        -1.09168E-04      6.59875E-05      -5.48961E-05     -1.68792E-05
A8         5.04247E-06     -2.89082E-05      -7.66475E-07     -1.01167E-05
A10       -2.45385E-07      1.00550E-06      -8.21247E-07      2.96121E-07
【０１２６】
回折面データ
回折次数                      1
規格化波長[nm]            10000
C1                 -0.004694073
C2                  0.001088813
C3                 -0.000173597
C4                     1.11E-05
C5                    -2.57E-07
【０１２７】
実施例１８
単位：mm
面データ
面番号                   r           d       材料名       有効半径
物面                   ∞          ∞
1*                 8.4725      2.1000   カルコゲナイド    3.9454
2*#                9.3826      1.3735                     3.4763
3(絞り)                ∞      2.3191                     2.8774
4*                20.8187      2.1000   カルコゲナイド    3.3198
5*               -74.8874      4.5375                     3.6281
像面                   ∞      0.0000
【０１２８】
屈折率データ
屈折率        屈折率       屈折率
材料名            波長8000nm   波長10000nm   波長12000nm
カルコゲナイド       2.746         2.724         2.687
【０１２９】
非球面データ
第1面            第2面             第4面            第5面
Ｒ               8.472            9.383            20.819          -74.887
Ｋ         2.638675499     -33.76218837                 0                0
A4        -1.41522E-03      3.31093E-03       2.00401E-04      7.04751E-04
A6         1.99116E-04     -3.60868E-04      -3.52434E-04     -4.13039E-04
A8        -6.18636E-05      1.11785E-05       6.62821E-05      7.28390E-05
A10        8.61704E-06      3.64301E-07      -8.00867E-06     -7.71776E-06
A12       -6.94273E-07     -1.03053E-07       5.05404E-07      3.87519E-07
A14        2.89616E-08      8.22542E-09      -2.08600E-08     -7.32482E-09
A16          -4.97E-10        -2.30E-10          4.95E-10
【０１３０】
回折面データ
回折次数                      1
規格化波長[nm]            10000
C1                 -0.004820215
C2                  0.001280835
C3                 -0.000584365
C4                     1.12E-04
C5                    -1.06E-05
C6                     4.92E-07
C7                    -8.99E-09
【０１３１】
実施例１９
単位：mm
面データ
面番号                   r           d       材料名       有効半径
物面                   ∞          ∞
1*                 8.7591      2.5000   カルコゲナイド    3.8986
2*                 7.8279      1.4305                     3.3796
3(絞り)                ∞      2.1781                     2.9869
4*                16.2364      2.5000   カルコゲナイド    3.7176
5*#              -58.4044      5.5464                     4.5072
像面                   ∞      0.0000
【０１３２】
屈折率データ
屈折率        屈折率       屈折率
材料名            波長8000nm   波長10000nm   波長12000nm
カルコゲナイド       2.746         2.724         2.687
【０１３３】
非球面データ
第1面            第2面             第4面            第5面
Ｒ               8.759            7.828            16.236          -58.404
Ｋ         2.699695918     -2.725122024                 0                0
A4        -1.27121E-03     -1.77890E-04      -8.53248E-05      1.41718E-03
A6         9.87958E-05     -2.08426E-04      -1.65184E-04     -5.65238E-04
A8        -4.28391E-05      2.09976E-05       3.39754E-05      7.82042E-05
A10        6.34952E-06     -1.09582E-06      -6.26258E-06     -6.15893E-06
A12       -5.24223E-07     -7.89065E-08       6.13426E-07      2.34145E-07
A14        2.20582E-08      1.17438E-08      -3.11573E-08     -3.43240E-09
A16          -3.80E-10        -3.73E-10          5.65E-10
【０１３４】
回折面データ
回折次数                      1
規格化波長[nm]            10000
C1                 -0.003663687
C2                 -0.002444765
C3                  0.000812334
C4                    -1.25E-04
C5                     9.63E-06
C6                    -3.63E-07
C7                     5.30E-09
【０１３５】
実施例２０
単位：mm
面データ
面番号                   r           d       材料名       有効半径
物面                   ∞          ∞
1*                 7.0099      2.2000   カルコゲナイド    3.6835
2*                 6.1004      1.3282                     3.4018
3(絞り)                ∞      0.9218                     3.0399
4*#               17.5959      2.2000   カルコゲナイド    3.2091
5*               -63.2946      5.5240                     3.4745
像面                   ∞      0.0000
【０１３６】
屈折率データ
屈折率        屈折率       屈折率
材料名            波長8000nm   波長10000nm   波長12000nm
カルコゲナイド       2.746         2.724         2.687
【０１３７】
非球面データ
第1面            第2面             第4面            第5面
Ｒ               7.010            6.100            17.596          -63.295
Ｋ         1.865238805     -1.796807954                 0                0
A4        -1.31185E-03     -1.66192E-04       9.96282E-04      1.14466E-03
A6        -6.51118E-05     -2.16754E-04      -2.87029E-04     -1.53307E-04
A8        -9.06426E-06     -3.90666E-07       4.63782E-05      3.79174E-05
A10        1.38779E-06     -6.92636E-07       1.55528E-06     -6.61097E-06
A12       -1.97567E-07      1.45030E-07      -1.84214E-06      4.43026E-07
A14        1.31749E-08     -8.76086E-09       2.16700E-07     -1.08199E-08
A16          -3.85E-10         1.99E-10         -8.20E-09
【０１３８】
回折面データ
回折次数                      1
規格化波長[nm]            10000
C1                 -0.006453064
C2                  0.000695119
C3                 -0.000565359
C4                     1.97E-04
C5                    -3.28E-05
C6                     2.59E-06
C7                    -7.87E-08
【０１３９】
実施例２１
単位：mm
面データ
面番号                   r           d       材料名       有効半径
物面                   ∞          ∞
1*#                4.6934      0.9273   カルコゲナイド    3.4966
2*                 5.1399      1.1020                     3.2421
3(絞り)                ∞      2.7268                     3.1670
4*               134.3809      3.0000    ゲルマニウム     2.7475
5*               -53.9803      3.9326                     3.5675
像面                   ∞      0.0000
【０１４０】
屈折率データ
屈折率        屈折率       屈折率
材料名            波長8000nm   波長10000nm   波長12000nm
カルコゲナイド       2.746         2.724         2.687
ゲルマニウム         4.006         4.003         4.002
【０１４１】
非球面データ
第1面            第2面             第4面            第5面
Ｒ               4.693            5.140           134.381          -53.980
Ｋ                   0                0                 0                0
A4         1.52682E-03      4.81104E-04      -4.22675E-04     -1.91389E-04
A6        -8.67314E-04      4.54389E-05      -6.36803E-04     -3.29191E-04
A8         2.40831E-04     -3.71391E-05       2.06952E-04      6.15963E-05
A10       -3.32375E-05      6.82936E-06      -4.69050E-05     -7.58407E-06
A12        2.18198E-06     -7.81081E-07       5.30476E-06      4.50616E-07
A14       -5.82589E-08      2.71870E-08      -2.67250E-07     -1.01356E-08
【０１４２】
回折面データ
回折次数                      1
規格化波長[nm]            10000
C1                  -0.00380399
C2                  0.001897148
C3                  -0.00131383
C4                     3.72E-04
C5                    -5.07E-05
C6                     3.30E-06
C7                    -8.25E-08
【０１４３】
実施例２２
単位：mm
面データ
面番号                   r           d       材料名       有効半径
物面                   ∞          ∞
1*#                5.1079      0.7047    ゲルマニウム     3.4855
2*                 5.3048      1.0313                     3.3215
3(絞り)                ∞      3.2359                     3.2402
4*                28.5250      3.0000   カルコゲナイド    2.8943
5*              -116.7591      3.3448                     3.8870
像面                   ∞      0.0000
【０１４４】
屈折率データ
屈折率        屈折率       屈折率
材料名            波長8000nm   波長10000nm   波長12000nm
カルコゲナイド       2.746         2.724         2.687
ゲルマニウム         4.006         4.003         4.002
【０１４５】
非球面データ
第1面            第2面             第4面            第5面
Ｒ               5.108            5.305            28.525         -116.759
Ｋ                   0                0                 0                0
A4         1.84647E-04      3.07451E-05      -7.01563E-04     -9.59065E-04
A6        -2.28755E-04      2.09236E-05      -8.23478E-04     -2.00662E-04
A8         1.19453E-04     -2.67070E-05       2.76559E-04      2.06378E-05
A10       -2.52520E-05      3.01513E-06      -6.20125E-05     -2.43424E-06
A12        2.09534E-06     -3.47277E-07       6.74280E-06      1.49997E-07
A14       -6.36662E-08      1.30582E-08      -3.10181E-07     -3.43601E-09
【０１４６】
回折面データ
回折次数                      1
規格化波長[nm]            10000
C1                 -0.001099949
C2                 -0.000271825
C3                     5.00E-05
C4                     9.10E-05
C5                    -1.89E-05
C6                     2.56E-07
C7                     1.44E-07
C8                    -7.30E-09
【０１４７】
実施例２３
単位：mm
面データ
面番号                   r           d       材料名       有効半径
物面                   ∞          ∞
1*#                5.7492      2.5000      硫化亜鉛       4.0834
2*                 6.4211      1.7814                     3.3229
3(絞り)                ∞      1.4492                     2.3548
4*                20.7379      2.5000   カルコゲナイド    2.6785
5*              -186.8640      3.2387                     3.4425
像面                   ∞      0.0000
【０１４８】
屈折率データ
屈折率        屈折率       屈折率
材料名            波長8000nm   波長10000nm   波長12000nm
カルコゲナイド       2.746         2.724         2.687
硫化亜鉛             2.223         2.200         2.170
【０１４９】
非球面データ
第1面            第2面             第4面            第5面
Ｒ               5.749            6.421            20.738         -186.864
Ｋ                   0                0                 0                0
A4        -1.37186E-05     -8.69490E-04      -1.40849E-03     -1.33052E-03
A6        -5.47662E-05      8.43284E-05      -3.92698E-04     -1.33824E-04
A8         3.06030E-06     -3.01047E-05       5.64368E-05     -6.77222E-06
A10       -2.22786E-07      1.13094E-06      -8.38287E-06      4.27728E-07
【０１５０】
回折面データ
回折次数                      1
規格化波長[nm]            10000
C1                 -0.003985181
C2                  0.000233733
C3                    -3.98E-05
C4                     2.21E-06
C5                    -4.63E-08
【０１５１】
実施例２４
単位：mm
面データ
面番号                   r           d       材料名       有効半径
物面                   ∞          ∞
1*#                6.0155      2.2516   カルコゲナイド    4.0181
2*                 6.2631      1.8716                     3.3371
3(絞り)                ∞      1.3451                     2.3148
4*                16.4061      2.5000      硫化亜鉛       2.5806
5*              -125.1680      2.9115                     3.3585
像面                   ∞      0.0000
【０１５２】
屈折率データ
屈折率        屈折率       屈折率
材料名            波長8000nm   波長10000nm   波長12000nm
カルコゲナイド       2.746         2.724         2.687
硫化亜鉛             2.223         2.200         2.170
【０１５３】
非球面データ
第1面            第2面             第4面            第5面
Ｒ               6.015            6.263            16.406         -125.168
Ｋ                   0                0                 0                0
A4        -1.79970E-04     -9.47992E-04      -1.85413E-03     -1.56676E-03
A6        -3.00203E-05      6.32974E-05      -6.70781E-04     -1.77543E-04
A8         1.13292E-06     -2.58942E-05       1.18854E-04     -1.15365E-05
A10       -1.61745E-07      9.68816E-07      -1.68194E-05      6.78023E-07
【０１５４】
回折面データ
回折次数                      1
規格化波長[nm]            10000
C1                 -0.002288353
C2                  0.000142746
C3                    -2.88E-05
C4                     1.56E-06
C5                    -3.19E-08
【０１５５】
実施例２５
単位：mm
面データ
面番号                   r           d       材料名       有効半径
物面                   ∞          ∞
1*#                7.9817      2.0674    ゲルマニウム     3.5559
2*                 7.4843      0.4857                     3.0464
3(絞り)                ∞      2.9301                     3.0297
4*                36.2253      3.0000    ゲルマニウム     3.1655
5*              -100.0000      4.3745                     3.8790
像面                   ∞      0.0000
【０１５６】
屈折率データ
屈折率        屈折率       屈折率
材料名            波長8000nm   波長10000nm   波長12000nm
ゲルマニウム         4.006         4.003         4.002
【０１５７】
非球面データ
第1面            第2面             第4面            第5面
Ｒ               7.982            7.484            36.225         -100.000
Ｋ                   0                0                 0                0
A4        -3.20141E-04     -1.10265E-03      -3.98904E-05     -4.36656E-06
A6        -8.12126E-05     -3.88927E-05      -4.01374E-04     -2.51747E-04
A8         1.23543E-05     -2.16577E-05       8.90250E-05      3.87973E-05
A10       -1.58306E-06      4.14179E-06      -1.32208E-05     -4.00176E-06
A12        9.05372E-08     -3.78846E-07       9.64843E-07      2.04752E-07
A14       -2.12848E-09      1.32815E-08      -3.14651E-08     -4.02030E-09
【０１５８】
回折面データ
回折次数                      1
規格化波長[nm]            10000
C1                 -0.000496359
C2                     2.44E-05
C3                     1.06E-05
C4                    -7.64E-07
C5                    -2.21E-07
C6                     3.03E-08
C7                    -1.04E-09
【０１５９】
実施例２６
単位：mm
面データ
面番号                   r           d       材料名       有効半径
物面                   ∞          ∞
1*#                5.7535      2.9188      硫化亜鉛       4.1073
2*                 6.7923      1.4021                     3.1384
3(絞り)                ∞      1.3444                     2.2552
4*                19.3965      3.0000      硫化亜鉛       2.4633
5*              -125.1680      2.4458                     3.3798
像面                   ∞      0.0000
【０１６０】
屈折率データ
屈折率        屈折率       屈折率
材料名            波長8000nm   波長10000nm   波長12000nm
硫化亜鉛             2.223         2.200         2.170
【０１６１】
非球面データ
第1面            第2面             第4面            第5面
Ｒ               5.753            6.792            19.396         -125.168
Ｋ                   0                0                 0                0
A4        -5.73112E-05     -9.07514E-04      -2.13709E-03     -1.53125E-03
A6        -3.62392E-05      8.57430E-05      -8.08468E-04     -1.85696E-04
A8         1.96548E-06     -3.55013E-05       1.60382E-04     -1.07976E-05
A10       -1.73684E-07      1.55067E-06      -2.41702E-05      7.71431E-07
【０１６２】
回折面データ
回折次数                      1
規格化波長[nm]            10000
C1                 -0.003763701
C2                     1.14E-04
C3                    -1.74E-05
C4                     4.45E-07
C5                     1.23E-11
【０１６３】
【表１】
2014149430.tif 000005
【０１６４】
【表２】
2014149430.tif 000006
【０１６５】
【表３】
2014149430.tif 000007
【符号の説明】
【０１６６】
ＤＵ    デジタル機器
ＬＵ    撮像光学装置
ＬＮ    結像光学系
Ｌ１    第１レンズ
Ｌ２    第２レンズ
ＳＰ    光束規制板
ＳＴ    開口絞り（絞り）
ＳＲ    撮像素子
ＳＳ    受光面（撮像面）
ＩＭ    像面（光学像）
ＡＸ    光軸
１    信号処理部
２    制御部
３    メモリー
４    操作部
５    表示部
【図１】
2014149430.tif 000008
【図２】
2014149430.tif 000009
【図３】
2014149430.tif 000010
【図４】
2014149430.tif 000011
【図５】
2014149430.tif 000012
【図６】
2014149430.tif 000013
【図７】
2014149430.tif 000014
【図８】
2014149430.tif 000015
【図９】
2014149430.tif 000016
【図１０】
2014149430.tif 000017
【図１１】
2014149430.tif 000018
【図１２】
2014149430.tif 000019
【図１３】
2014149430.tif 000020
【図１４】
2014149430.tif 000021
【図１５】
2014149430.tif 000022
【図１６】
2014149430.tif 000023
【図１７】
2014149430.tif 000024
【図１８】
2014149430.tif 000025
【図１９】
2014149430.tif 000026
【図２０】
2014149430.tif 000027
【図２１】
2014149430.tif 000028
【図２２】
2014149430.tif 000029
【図２３】
2014149430.tif 000030
【図２４】
2014149430.tif 000031
【図２５】
2014149430.tif 000032
【図２６】
2014149430.tif 000033
【図２７】
2014149430.tif 000034
【図２８】
2014149430.tif 000035
【図２９】
2014149430.tif 000036
【図３０】
2014149430.tif 000037
【図３１】
2014149430.tif 000038
【図３２】
2014149430.tif 000039
【図３３】
2014149430.tif 000040
【図３４】
2014149430.tif 000041
【図３５】
2014149430.tif 000042
【図３６】
2014149430.tif 000043
【図３７】
2014149430.tif 000044
【図３８】
2014149430.tif 000045
【図３９】
2014149430.tif 000046
【図４０】
2014149430.tif 000047
【図４１】
2014149430.tif 000048
【図４２】
2014149430.tif 000049
【図４３】
2014149430.tif 000050
【図４４】
2014149430.tif 000051
【図４５】
2014149430.tif 000052
【図４６】
2014149430.tif 000053
【図４７】
2014149430.tif 000054
【図４８】
2014149430.tif 000055
【図４９】
2014149430.tif 000056
【図５０】
2014149430.tif 000057
【図５１】
2014149430.tif 000058
【図５２】
2014149430.tif 000059
【図５３】
2014149430.tif 000060